(57)【要約】【課題】  加熱室内に旋回風を発生させて、熱風の衝突を防ぎ、加熱室内の温度分布を均一にして加熱効率を向上させる加熱調理器を得る。【解決手段】  被調理物を加熱する加熱室２と、加熱室２の上面部５に設けられた吸込口１０と、加熱室２の右側壁６、左側壁７に設けられた吹出口１１、１２と、吸込口１０と吹出口１１、１２を連通する突出ダクト部２３、２４、後方ダクト２５、前方ダクト２６と、加熱室２内の空気をダクト内に吸い込んで再び加熱室２内へ戻す遠心ファン１７とを備え、吹出口１１、１２は、加熱室２の互いに対向する右側壁６、左側壁７に設けられ、かつ吹き出し方向が互いに衝突しないように設けられているものである。【選択図】        図２
2005265227.tif 000002
【特許請求の範囲】
【請求項１】
被調理物を加熱する加熱室と、前記加熱室の上部に設けられた吸込口と、前記加熱室の側部に設けられた２つの吹出口と、前記吸込口と前記吹出口を連通する風路と、前記加熱室内の空気を前記風路内に吸い込んで再び前記加熱室内へ戻す送風手段とを備え、前記２つの吹出口は、前記加熱室の互いに対向する側部に設けられ、かつ吹き出し方向が互いに衝突しないように設けられていることを特徴とする加熱調理器。
【請求項２】
前記風路内に、被調理物を加熱する加熱手段を設けたことを特徴とする請求項１記載の加熱調理器。
【請求項３】
前記吹出口の上流側に、空気の流れを整流する整流手段を設けたことを特徴とする請求項１又は２に記載の加熱調理器。
【請求項４】
前記２つの吹出口は、吹出し方向が互いに衝突しないように前後方向にずらして設けたことを特徴とする請求項１〜３のいずれかに記載の加熱調理器。
【発明の詳細な説明】
【技術分野】
【０００１】
この発明は、加熱調理器に関するものであり、特に加熱室内の空気が循環することにより、被調理物を加熱する対流式の加熱調理器に関するものである。
【背景技術】
【０００２】
従来の対流式加熱調理器は、直方体で形成された加熱室において、左右各側壁部に熱風吐出口を設けるとともに加熱室後側壁部に吸気口とファン装置を設け、これら左右両壁の吐出口とファン装置とをダクトで連結して加熱室左右両側壁から熱風を吐き出すものであった。（例えば、特許文献１参照）。
【０００３】
【特許文献１】実開平３−１１１８０５号公報（第１頁、第１図）
【発明の開示】
【発明が解決しようとする課題】
【０００４】
従来の加熱調理器では、左右両壁部の吐出口の位置が、互いに対向する位置に設けられているため、吐き出された熱風が互いに衝突してしまい、加熱室の中心付近では風速が低下し、加熱むらが生じやすく、また加熱時間もかかってしまうという問題点があった。
【０００５】
この発明は、上記のような課題を解決するためになされたもので、加熱室に流れ込む熱風の衝突を防ぎ、加熱効率を向上させることができる加熱調理器を得るものである。
【課題を解決するための手段】
【０００６】
この発明に係る加熱調理器は、被調理物を加熱する加熱室と、前記加熱室の上部に設けられた吸込口と、前記加熱室の側部に設けられた２つの吹出口と、前記吸込口と前記吹出口を連通する風路と、前記加熱室内の空気を前記風路内に吸い込んで再び前記加熱室内へ戻す送風手段とを備え、前記２つの吹出口は、前記加熱室の互いに対向する側部に設けられ、かつ吹き出し方向が互いに衝突しないように設けられているものである。
【発明の効果】
【０００７】
以上のように、加熱室に旋回風を発生させて、加熱室内の温度分布を均一にし、効率的に被調理物を加熱することができるという効果がある。
【発明を実施するための最良の形態】
【０００８】
実施の形態１．
図１は、この発明の実施の形態１における加熱調理器の全体斜視図、図２は、加熱調理器の要部を示す斜視図、図３は、加熱調理器の要部を示す分解斜視図、図４は、加熱調理器のダクト部を示す分解斜視図、図５は、加熱調理器のダクト部を示す断面図、図６は、加熱室内の空気の流れを表す図である。
【０００９】
図１〜図３において、加熱調理器の本体１内には前面が開口した加熱室２と、開口部を開閉する扉３が設けられている。本体１の前面上部には、操作ボタン、表示パネルなどを有する操作部４が設けられている。加熱室２は、上面部５、右側壁６、左側壁７、下面部８、後側壁９で直方体に形成されている。上面部５の略中心には円形に開口した吸込口１０が形成されている。右側壁６、左側壁７には、矩形に開口した吹出口１１、１２がそれぞれ形成されている。右側壁６の吹出口１１は加熱室２後方に、左側壁７の吹出口１２は加熱室２の前方に設けられている。そして、吹出口１１は、吹き出し空気を後側壁９の壁面に沿って吹き出し、吹出口１２は、吹き出し空気を扉３の壁面に沿って吹き出し、吹き出し方向が互いに衝突しないように設けられている。また、右側壁６、左側壁７には、被調理物が載置される角皿１３を支持するための角皿支持部１４が形成されている。また、右側壁６には加熱室２内を照明するためのパンチング開口部１５、左側壁７には加熱室２内の空気を排気する蒸気排出口１６がそれぞれ設けられている。
【００１０】
上面部５の吸込口１０上方には、加熱室２内の空気を吸い込む遠心ファン１７が設けられており、遠心ファン１７の回転中心が吸込口１０の中心にくるように配置されている。遠心ファン１７には、遠心ファン１７を覆うファンケーシング１８が設けられ、遠心ファン１７からの吹出し風を所定の方向へ整流する。遠心ファン１７は駆動用モータ１９により駆動される。ファンケーシング１８は、外周に設けた複数の固定部２０により加熱室２の上面部５に固定される。モータ１９はファンケーシング１８との間に固定平板２１を介在させて、モータカバー２２により固定される。ファンケーシング１８は、遠心ファン１７の回転中心軸を軸対称として円周方向に突出する突出ダクト部２３、２４を有する二つの吐き出し方向を持つ形状となっている。ファンケーシング１８の長さは上面部５の長さよりも長いため、上方から見ると突出ダクト部２３、２４は上面部５からはみ出た状態で配置されている。
【００１１】
吹出口１１、１２には、それぞれ後方ダクト２５、前方ダクト２６が設けられており、それぞれ突出ダクト部２３、２４に連通している。そして、吸込口１０と吹出口１１、１２を連通する風路を形成している。後方ダクト２５、前方ダクト２６には、加熱手段であるヒータ２７がそれぞれ設けられている。図３〜図５に示すとおり、吹出口１１、１２には、加熱調理時の調理物の飛び散りによる油等の進入を防ぐためのパンチングメタル２８が設けられている。また、パンチングメタル２８の上流側には、風向板２９が一体的に設けられている。後方ダクト２５、前方ダクト２６に流れ込んだ下向きの空気は、風向板２９により、例えば加熱室２内に向けて壁面に対して垂直方向に流れ出るように整流される。また、後方ダクト２５、前方ダクト２６を通過する熱風は、パンチングメタル２８を介して加熱室２内へ吹出されるため、局所的な吹き付けを軽減させることができる。
【００１２】
遠心ファン１７が駆動すると、図６に示すとおり、加熱室２の空気は遠心ファン１７に吸い込まれて２方向に吹き出される。そして、遠心ファン１７から吹出された空気は、突出ダクト部２３、２４に導かれながらファンケーシング１８の内面に沿って流れ、ファンケーシング１８と上面部５により構成された風路を通過し、突出ダクト部２３、２４の端部に衝突する。突出ダクト部２３、２４の端部は下方に開口しているため、突出ダクト部２３、２４の端部で衝突した風は、突出ダクト部２３、２４の下方に連通されている後方ダクト２５及び前方ダクト２６へそれぞれ流れ込む。そして、ヒータ２７により加熱されて、加熱室２の吹出口１１、１２から再び加熱室２内へ送られる。吹出口１１、吹出口１２は、互いに対向しない位置に設けられており、また、吹き出し風が風向板２９により加熱室２の側壁部に対して直角な方向へ流入するように構成されているので、加熱室２内へ吹出した風は、互いに衝突することなく、加熱室２内を旋回する。
【００１３】
なお、実施の形態１では、風向板２９をパンチングメタル２８に一体的に設けることで、風向きを変化させたが、この構成に限るものではなく、他の手段で風向きを変化させるようにしてもよい。
【００１４】
ここで、遠心ファン１７の回転方向と、加熱室２内の旋回流の回転方向との関係について説明する。遠心ファン１７の回転方向と加熱室２内の旋回流の回転方向が同方向になる場合、遠心ファン１７が旋回流を吸い込むために、空気を回転させようとする力が発生せず、実質上、遠心ファン１７が仕事を行わない状態（空回転）になることがある。したがって、遠心ファン１７の回転方向と加熱室２内に設けられた一対の吹出口１１、１２により発生する旋回流の回転方向とは、互いに反対方向へ回転するように右側壁６の吹出口１１と、左側壁７の吹出口１２の位置をずらす構成にする。具体的には、図６に示すように、本体１を上方より見た場合、遠心ファン１８及びモータ１９が右回転で回転を行っている場合、図３に示すように、右側壁６及び左側壁７の吹出口１１、１２は、右側壁６に設けられた吹出口１１が加熱室２奥側（後側）、左側壁７に設けられた吹出口１２が加熱室２手前側（前側）になるように設けることで、図６に示すように、加熱室２内部には、スムーズな左回転の旋回流が発生する。一方、遠心ファン１７が左回転で回転している場合には右側壁６に設けられた吹出口１１が加熱室２手前側（前側）、左側壁７に設けられた吹出口１２が加熱室２奥側（後側）になるように構造すればよい。
【００１５】
以上のように、実施の形態１によれば、加熱室内の対流風が互いに衝突することがなく、熱風が旋回するので、加熱室内全体を均一に加熱できる。また、高風速を保つことができる。これにより、加熱むらを防ぎ、加熱時間を短くすることができるため、加熱効率が向上する。
【００１６】
なお、調理物の加熱を行う場合、調理物への熱の伝わり方として大きく分けて伝導、対流、放射の３種類がある。対流熱量をもった空気（流体）が物体の加熱を行う場合には対流伝熱となり、特にファンやポンプなどの機械を用いて強制的に空気（流体）を流動させて加熱を行う場合を一般的に強制対流熱伝達という。強制対流熱伝達は風速によって変化し、特に平板を沿う強制対流熱伝達では、風速の１／２乗に比例するため、風速を速めることで伝熱する熱量を増加させることができる。
したがって、実施の形態１に示す加熱調理器の加熱室２内部においても、風速を均一かつ高風速とすることで調理物の加熱速度を向上させることができる。
【００１７】
実施の形態２．
図７は、この発明を実施するための実施の形態２を示す加熱調理器の全体斜視図である。実施の形態１では、直方体の加熱室を用いた例を示したが、実施の形態２では、加熱室内の空間が円筒形である場合の例を示す。なお、図中、実施の形態１と同一の構成には同じ符号を付し、説明は省略する。図７において、加熱調理器の本体を構成する円筒型筐体３０内部には、被調理物を出し入れするための開口を有する円筒型加熱室３１が設けられている。円筒型加熱室３１の開口部には開口を開閉する円筒型扉３２が設けられている。円筒型扉３２は、円筒型筐体３０の開口部の近傍に回動可能な状態で軸支されている。円筒型筐体３０は底面に複数設けられた支持脚３３によって支持されている。円筒型加熱室３１の上面部３４の略中心には、実施の形態１同様に円形状の吸込口（図示せず）が設けられている。また、上面部３４の上部には実施の形態１同様に遠心ファン（図示せず）が設けられている。遠心ファンには、遠心ファンを覆うファンケーシング３５が設けられている。ファンケーシング３５は、遠心ファンの回転中心軸を軸対称として円周方向に突出する２つの突出ダクト部３６を有しており、二つの吐き出し方向を持つ形状となっている。また、円筒型加熱室３１の側部外側には側部ダクト３７が対向するように設けられており、それぞれ突出ダクト部３６と連通している。そして、遠心ファンの駆動によって上面部３４に設けられた吸込口から吸い込まれた空気は、遠心ファン、ファンケーシング３５の突出ダクト部３６を通過し、側部ダクト３７を介して加熱室３１側部に設けられた吹出口（図示せず）から再び加熱室３１内へ送られる。吹出口から吹き出される空気は、加熱室３１の側壁面に沿うように吹き出される。側部ダクト３７内には実施の形態１同様にヒータが設けられており、空気は加熱される。吹出口には実施の形態１同様にパンチングメタルを配置している。ここで、吹出された空気を円筒状の壁面に沿って流れるように調整する構成としては、例えば、側部ダクト３７を湾曲させて空気がスムースに吹出口から加熱室３１の壁面にそって吹き出るようにすればよい。また、風向板を設けて調整するようにしてもよい。
【００１８】
実施の形態２によれば、加熱室を円筒形状にして吹出口から吹き出される循環風を旋回させているため、圧損を低減させることができ、スムーズな旋回流を発生させることができる。また、旋回流は、円筒型加熱室３１の内壁面に沿って流れるため、直方体の加熱室に比べ、よりスムーズな旋回流を得ることができ、吹き溜まりや空気のよどみが発生することを減少する。したがって、加熱ムラを低減させることができる。
【図面の簡単な説明】
【００１９】
【図１】この発明の実施の形態１における加熱調理器を示す全体斜視図である。
【図２】この発明の実施の形態１における加熱調理器の要部を示す斜視図である。
【図３】この発明の実施の形態１における加熱調理器の要部を示す分解斜視図である。
【図４】この発明の実施の形態１における加熱調理器のダクト部を示す分解斜視図である。
【図５】この発明の実施の形態１における加熱調理器のダクト部を示す断面図である。
【図６】この発明の実施の形態１における加熱調理器内の空気の流れを表す図である。
【図７】この発明の実施の形態２における加熱調理器を示す全体斜視図である。
【符号の説明】
【００２０】
１  本体、２  加熱室、３  扉、４  操作部、５  上面部、６  右側壁、７  左側壁、８  下面部、９  後側壁、１０  吸込口、１１、１２  吹出口、１３  角皿、１４  角皿支持部、１５  パンチング開口部、１６  蒸気排出口、１７  遠心ファン、１８  ファンケーシング、１９  モータ、２０  固定部、２１  固定平板、２２  モータカバー、２３、２４  突出ダクト部、２５  後方ダクト、２６  前方ダクト、２７  ヒータ、２８  パンチングメタル、２９  風向板、３０  円筒型筐体、３１  円筒型加熱室、３２  円筒型扉、３３  支持脚、３４  上面部、３５  ファンケーシング、３６  突出ダクト部、３７  側部ダクト。
【図１】
2005265227.tif 000003
【図２】
2005265227.tif 000004
【図３】
2005265227.tif 000005
【図４】
2005265227.tif 000006
【図５】
2005265227.tif 000007
【図６】
2005265227.tif 000008
【図７】
2005265227.tif 000009